(57)【要約】      （修正有）【課題】フェンシング用剣ケースを提供する。【解決手段】剣ケース１００は対向して閉合されると共に閉鎖され、前記剣ケース１００内部には収納フェンシングの剣先先端７及び剣台座の吻合に用いられる第一収容溝１４及び第二収容溝１５を有する。更に、環状のロック部２３は前記剣先先端７と剣台座との間に制限され、前記剣ケース１００は外力を阻止して剣首を保護する作用を有し、剣ケース１００により前記剣先先端７の弾性動作が制限される。前記剣ケース１００によりばね及び剣先先端７が最良の状態及び位置に保たれ、ばねの感度及び精度が保護される。【選択図】図３
2019118545.tif 000002
【特許請求の範囲】
【請求項１】
フェンシング剣の剣先の収納及び保護に用いられるフェンシング用剣ケースであって、
前記剣首の外部には剣先胴部及び剣先先端を有し、内部には前記剣先先端の弾性動作を制御するためのエペ電気剣先バネ及び得点信号をトリガさせるためのエペ電気剣先接点バネを有し、
前記剣先先端は前記剣先胴部以外の部分に拡径される剣先先端を有し、前記剣先先端と前記剣先胴部との間にはピッチを有し、前記剣ケースは、第一保護ケース、第二保護ケース及びロックユニットを含み、
前記第一保護ケース及び第二保護ケースは、内部に溝状空間を有し、前記第一保護ケース及び前記第二保護ケースの何れか一側が少なくとも１つの可撓性接続シートを介して連結され、前記可撓性接続シートにより前記第一保護ケース及び前記第二保護ケースが対向して閉合され、前記第一保護ケース及び前記第二保護ケースの前端が閉鎖状を呈し、後端は開口状を呈し、前記前端に近接する内側壁には半円環形状のロック部が凸設され、前記ロック部により前記第一保護ケース及び前記第二保護ケースの溝状空間が第一収容溝及び第二収容溝に区分され、前記ロック部の軸方向の長さは前記ピッチに等しく、或いは前記ピッチの１ｍｍ以内より短く、前記第一収容溝の直径は前記剣先先端の直径に等しく、
前記ロックユニットは、前記第一保護ケース及び前記第二保護ケースの他側に設置され、フック部材及び前記フック部材に結合または分離されるバックル部材からなり、前記第一保護ケース及び前記第二保護ケースが互いに閉合されると、前記フック部材及び前記バックル部材が結合され、前記第一保護ケース及び前記第二保護ケースが閉鎖され、
前記第一保護ケース及び前記第二保護ケースの前記第一収容溝が互いに併合された後に前記剣先先端が収納され、前記ロック部が前記剣先先端及び前記剣先胴部のピッチに吻合するように係合され、前記第二収納槽が併合された後に前記剣先胴部が収納されることを特徴とするフェンシング用剣ケース。
【請求項２】
前記第二収容溝の軸方向の長さは前記第一収容溝の軸方向の長さより長いことを特徴とする請求項１に記載のフェンシング用剣ケース。
【請求項３】
前記第二収容溝の直径は前記剣先胴部の直径に等しいことを特徴とする請求項１に記載のフェンシング用剣ケース。
【請求項４】
前記第一収容溝の軸方向の長さは前記剣先先端の軸方向の長さに等しいことを特徴とする請求項１に記載のフェンシング用剣ケース。
【発明の詳細な説明】
【技術分野】
【０００１】
本発明は、フェンシング競技において、電気剣の剣先セットを保護する為の保護装置に関する.
【背景技術】
【０００２】
フェンシングではフルーレ、エペ、サーブルの3種の種目がある。試合では、フルーレ及びエペの攻撃方式は剣先先端での突きが採用され、サーブルでは剣先先端での突き及び剣身での斬りが採用される。フルーレの攻撃で得点を得るには最低5.00N（おおよそ500グラム）以上の力が剣先に加わることで打突が判定されエペでは7.50Nの力が剣先に加わらなければならず、サーブルでは攻撃が有効となる。試合では電気審判機が採用され、フルーレ及びエペの剣尖は圧力感知器（俗称ボタンスイッチ）を有し、突きの力量が規定の水準かそれ以上に達すると圧力感知器が反応し、有効面が突かれると、審判機が得点ランプ（赤または緑のランプ）を点灯させる。このため、フルーレ及びエペの剣首は得点したか否かを決める重要な鍵となる部位である。
【０００３】
剣先胴部1と、エペ電気剣先バネ2と、エペ電気剣先接点バネ3と、剣尖４を備える。  前記エペ電気剣先バネ2及び前記ペ電気剣先接点バネ3により、剣尖４が前記剣先胴部中で収縮をする。弾性動作の距離を制限し、剣尖4が剣先胴部1から脱離しないようにするため、剣尖4にはラジアルネジ５が設置され、剣先胴部1には前記ラジアルネジ５のねじ頭を収納するための長孔６が設けられている（図２参照）。
【発明の概要】
【発明が解決しようとする課題】
【０００４】
剣尖の感度は上述のばねによって決まり、ばねの弾性係数は試合の規定に従わねばならない。ばねに弾性疲労が発生すると、剣尖の感度及び精度が失われ、試合結果に直接影響が及ぶ。剣尖及びそのばねには特別な保護が必要であり、フェンシング剣が剣ケース内に収められる際には、剣の柄が下に向けられ、剣尖が上に向けられ、移動時の剣尖の接触や衝激を受け、内部のばねが衝撃を受けないようにしている。しかしながら、剣ケースは布材質であるため、外力を阻止できず、剣首が圧迫や衝突を免れない。この問題を解決するため、大口径のＰＶＣプラスチックパイプを剣身より少し長く裁断して剣を挿入するようにしているが、収納にかかる重量及び体積が増え、携帯しにくくなった。また、パイプの口径が剣首より大きいため、剣首が圧迫されたり、接触されてしまい、保護効果は好ましくなかった。
【０００５】
上記に述べたように競技者は常々、剣尖部分の感度が試合へ影響することを危惧する必要がある。試合に出発する前にばねを交換し、ばねが最良の状態にあるかどうか確認しなければならず、交換して繰り返し何度も確認することになり、時間がかかった。近場への徒歩、車での移動、飛行機へ搭乗するなど、移動時に剣先へ感触することによって、試合会場に到着した後に再度調整を行い、ばねが最良の状態及び位置にあるか確認せねばならなかった。これらの煩雑な準備及び確認動作は選手にとって非常に手間であった。最も重要な点は、試合開始前に、審判が先に選手の剣及び剣首の感度及び精度を検査して試合の公平性を確保するが、検査をクリアせねば選手は別の剣に交換して試合に臨まねばならず、不慣れな剣を使用して試合をすることは確実に選手の不安を掻き立て、成績にも影響した。
【０００６】
かかる従来の実情に鑑みて、本発明は、フェンシングの剣首を保護するための剣ケースを提供することを目的とする。
【課題を解決するための手段】
【０００７】
上述した課題を解決し、上記目的を達成するための本発明は、本発明に係るフェンシング用剣ケースの特徴は、前記剣ケースはフェンシングの剣首の収納及び保護に用いられ、前記剣首の外部には剣先胴部及び剣先先端を有し、内部には前記剣先先端の弾性動作を制御するためのエペ電気剣先バネ及び得点信号をトリガさせるためのエペ電気剣先接点バネを有する。前記剣先先端は前記剣先胴部以外の部分に拡径される剣先先端を有し、前記剣先先端と前記剣先胴部との間にはピッチを有する。前記剣ケースは、
内部に溝状空間を有する第一保護ケース及び第二保護ケースであって、前記第一保護ケース及び前記第二保護ケースの何れか一側が少なくとも１つの可撓性接続シートを介して連結され、前記可撓性接続シートにより前記第一保護ケース及び前記第二保護ケースが対向して閉合され、前記第一保護ケース及び前記第二保護ケースの前端が閉鎖状を呈し、後端は開口状を呈し、前記前端に近接する内側壁には半円環形状のロック部が凸設され、前記ロック部により前記第一保護ケース及び前記第二保護ケースの溝状空間が第一収容溝及び第二収容溝に区分され、前記ロック部の軸方向の長さは前記ピッチに等しく、或いは前記ピッチの１ｍｍ以内より短く、前記第一収容溝の直径は前記剣先先端の直径に等しいことと、
前記第一保護ケース及び前記第二保護ケースの他側に設置され、フック部材及び前記フック部材に結合または分離されるバックル部材からなり、前記第一保護ケース及び前記第二保護ケースが互いに閉合されると、前記フック部材及び前記バックル部材が結合され、前記第一保護ケース及び前記第二保護ケースが閉鎖されるロックユニットとを備える。
【発明の効果】
【０００８】
本発明によれば、以下の効果を有する。
（１） 前記第一保護ケース及び前記第二保護ケースの前記第一収容溝が対向して併合された後に前記剣先先端が収納される。前記ロック部は前記剣先先端及び前記剣先胴部のピッチに吻合するように係合され、前記第二収容溝が併合された後に前記剣先胴部が収納される。
（２） 前記剣ケースは外力を阻止して剣首を保護させる作用を有し、剣ケースにより前記剣先先端の弾性動作が制限される。このため、どのような揺れ、圧迫、振動であっても剣先先端に剣首内部のばねを圧縮させることがなく、内部のばねの保護作用を達成させる。
（３） 前記第二収容溝の軸方向の長さが前記第一収容溝の軸方向の長さより長く、前記第二収容溝の直径が前記剣先胴部の直径に等しく、前記第一収容溝の軸方向の長さが前記剣先先端の軸方向の長さに等しい等の構造的特徴により、前記剣ケースの内部のサイズが完全に剣首のサイズに吻合させ、剣首の保護作用が強化される。
（４） 本発明に係る剣ケースを使用して剣首を保護することにより、剣先先端及び剣首中のばねが袋に入れられ、運送、移動等が行われる過程で、圧迫、衝撃、揺れ等の外力の作用を受けず、ばね及び剣先先端が最良の状態及び位置に保たれ、ばねの感度及び精度が保護される。よって、選手は繰り返し何度も交換、調整、確認を行う必要がなく、ばねが規定を満たしていないために試合前に剣を交換しなければならなくなる問題を実際に回避させる。
（５） 本発明の剣ケースは具体的に剣首の保護作用を有し、剣ケースの体積及び重量も非常に小さく軽くなるため、携帯に全く影響を与えない。本発明に係る剣ケースを使用するフェンシングは本来の剣袋中に収まるため、２重の保護が得られる。
【図面の簡単な説明】
【０００９】
【図１】フェンシングの剣首を示す展開図である。
【図２】フェンシングの剣首が衝突される概略図である。
【図３】本発明の剣ケース及び電気剣の剣先セットを示す展開図である。
【図４】本発明の剣ケース及び電気剣の剣先セットが組み合わせられる概略図である。
【図５】本発明の剣ケース及び電気剣の剣先セットが組み合わせられる外観斜視図である。
【図６】本発明の剣ケースにより剣首を保護する概略図である。
【発明を実施するための形態】
【００１０】
以下、図面を参照して本発明に係るフェンシング用剣ケースの実施形態について説明する。尚、以下に説明する実施の形態は、特許請求の範囲に記載された本発明の内容を限定するものではない。また、以下に説明される構成の全てが、本発明の必須要件であるとは限らない。
【実施形態】
【００１１】
以下、図３〜６を参照しながら、本発明をさらに詳しく説明する。本発明の剣ケース１００は、プラスチック材料で注入成形され、以下の部材を備える。
【００１２】
まず、内部に溝状空間を有する第一保護ケース１０及び第二保護ケース２０。前記第一保護ケース１０及び前記第二保護ケース２０の何れか一側は少なくとも１つの可撓性接続シート３０を介して連結され、前記可撓性接続シート３０により前記第一保護ケース１０及び前記第二保護ケース２０が対向して閉合される。前記第一保護ケース１０及び前記第二保護ケース２０の前端１１、２１は閉鎖状を呈し、後端１２、２２は開口状を呈し、前記前端１１、２１に近接する内側壁には半円環形状のロック部１３、２３が凸設される。前記ロック部１３、２３により前記第一保護ケース１０及び前記第二保護ケース２０の溝状空間が第一収容溝１４、２４及び第二収容溝１５、２５に区分される。前記第二収容溝１５、２５の軸方向の長さＬ２は前記第一収容溝１４、２４の軸方向の長さより長い。
【００１３】
次に、ロックユニット４０は、前記第一保護ケース１０及び前記第二保護ケース２０の他側に設置され、フック部材４１及び前記フック部材４１に結合または分離されるバックル部材４２を備える。前記第一保護ケース１０及び前記第二保護ケース２０が対向して閉合されると、前記フック部材４１及び前記バックル部材４２が結合され、前記第一保護ケース１０及び前記第二保護ケース２０が閉鎖される。
【００１４】
前記剣ケース１００はフェンシング５０の剣首５１を収納及び保護するために用いられる。前述の剣首５１は先行技術の図１に示されるように、その外部は剣先胴部１及びエペ電気剣先ヘッド４であり、内部には前記エペ電気剣先ヘッド４の弾性動作を制御させるためのエペ電気剣先バネ、及び得点信号をトリガさせるためのエペ電気剣先接点バネを有する。前記エペ電気剣先ヘッド４は前記剣先胴部１以外の部分に拡径される剣先先端７を有し、前記剣先先端７と前記剣先胴部１との間にはピッチＤを有する。
【００１５】
図３及び図４に示されるように、本発明に係る剣ケース１００のロック部１３、２３の軸方向の長さＬ３は前記ピッチＤに等しいか、或いは前記ピッチの１ｍｍ以内より短い。前記第一収容溝１４、２４及び第二収容溝１５、２５の直径Ｄ１、Ｄ２は前記剣先先端７及び剣先胴部１の直径Ｄ３、Ｄ４に等しい。前述の第一収容溝１４、２４の軸方向の長さＬ１は前記剣先先端７の軸方向の長さＬ４に等しい。前記剣ケース１００の第一収容溝１４、２４が併合された後に前記剣先先端７が完全に吻合されて収納される。前記ロック部１３、２３は前記剣先先端７と前記剣先胴部１との間に吻合するように係合され、前記第二収容溝１５、２５が併合された後に前記剣先胴部１が収納される。これにより、前記剣ケース１００が前記剣首５１の外部を保護させ、剣首５１のサイズに完全に吻合させる。
【００１６】
なお、図６に示されるように、何らかの外力を受けると、前記剣ケース１００が外力を阻止して剣首５１を保護させる作用を発揮する。前記剣ケース１００は剣首５１のサイズを完全に吻合させ、且つ剣ケース１００により前記剣先先端７の弾性動作が制限されるため、如何なる揺れ、圧迫、振動であっても剣先先端７に剣首５１の内部のばねを圧縮させることがなく、内部のばねの保護作用を達成させる。
【００１７】
従って、本明細書に開示された実施例は、本発明を限定するものではなく、説明するためのものであり、このような実施例によって本発明の思想と範囲が限定されるものではない。本発明の範囲は特許請求の範囲により解釈すべきであり、それと同等の範囲内にある全ての技術は、本発明の権利範囲に含まれるものと解釈すべきである。
【符号の説明】
【００１８】
１  剣先胴部
２  エペ電気剣先バネ
３  エペ電気剣先接点バネ
４  剣尖
５  ラジアルネジ
６  長孔
７  剣先先端
１００  剣ケース
１０  第一保護ケース
１１  前端
１２  後端
１３  ロック部
１４  第一収容溝
１５  第二収容溝
２０  第二保護ケース
２１  前端
２２  後端
２３  ロック部
２４  第一収容溝
２５  第二収容溝
３０  可撓性接続シート
４０  ロックユニット
４１  フック部材
４２  バックル部材
５０  フェンシング
５１  剣首
Ｄ  剣先先端及び剣先胴部のピッチ
Ｄ１  第一収容溝の直径
Ｄ２  第二収容溝の直径
Ｄ３  剣先先端の直径
Ｄ４  剣先胴部の直径
Ｌ１  第一収容溝の軸方向の長さ
Ｌ２  第二収容溝の軸方向の長さ
Ｌ３  ロック部の軸方向の長さ
Ｌ４  剣先先端の軸方向の長さ
【図１】
2019118545.tif 000003
【図２】
2019118545.tif 000004
【図３】
2019118545.tif 000005
【図４】
2019118545.tif 000006
【図５】
2019118545.tif 000007
【図６】
2019118545.tif 000008
【手続補正書】
【提出日】平成31年2月26日(2019.2.26)
【手続補正１】
【補正対象書類名】特許請求の範囲
【補正対象項目名】全文
【補正方法】変更
【補正の内容】
【特許請求の範囲】
【請求項１】
フェンシング剣の剣先の収納及び保護に用いられるフェンシング用剣ケースであって、
前記剣先の外部には剣先胴部及び剣先先端を有し、内部には前記剣先先端の弾性動作を制御するためのエペ電気剣先バネ及び得点信号をトリガさせるためのエペ電気剣先接点バネを有し、
前記剣先先端は前記剣先胴部以外の部分に拡径される剣先先端を有し、前記剣先先端と前記剣先胴部との間にはピッチを有し、前記剣ケースは、第一保護ケース、第二保護ケース及びロックユニットを含み、
前記第一保護ケース及び第二保護ケースは、内部に溝状空間を有し、前記第一保護ケース及び前記第二保護ケースの何れか一側が少なくとも１つの可撓性接続シートを介して連結され、前記可撓性接続シートにより前記第一保護ケース及び前記第二保護ケースが対向して閉合され、前記第一保護ケース及び前記第二保護ケースの前端が閉鎖状を呈し、後端は開口状を呈し、前記前端に近接する内側壁には半円環形状のロック部が凸設され、前記ロック部により前記第一保護ケース及び前記第二保護ケースの溝状空間が第一収容溝及び第二収容溝に区分され、前記ロック部の軸方向の長さは前記ピッチに等しく、或いは前記ピッチの１ｍｍ以内より短く、前記第一収容溝の直径は前記剣先先端の直径に等しく、
前記ロックユニットは、前記第一保護ケース及び前記第二保護ケースの他側に設置され、フック部材及び前記フック部材に結合または分離されるバックル部材からなり、前記第一保護ケース及び前記第二保護ケースが互いに閉合されると、前記フック部材及び前記バックル部材が結合され、前記第一保護ケース及び前記第二保護ケースが閉鎖され、
前記第一保護ケース及び前記第二保護ケースの前記第一収容溝が互いに併合されると、前記剣先先端が収納された状態になり、前記ロック部が前記剣先先端及び前記剣先胴部のピッチに吻合するように係合され、前記第二収容溝が併合されると、前記剣先胴部が収納された状態になることを特徴とするフェンシング用剣ケース。
【請求項２】
前記第二収容溝の軸方向の長さは前記第一収容溝の軸方向の長さより長いことを特徴とする請求項１に記載のフェンシング用剣ケース。
【請求項３】
前記第二収容溝の直径は前記剣先胴部の直径に等しいことを特徴とする請求項１に記載のフェンシング用剣ケース。
【請求項４】
前記第一収容溝の軸方向の長さは前記剣先先端の軸方向の長さに等しいことを特徴とする請求項１に記載のフェンシング用剣ケース。